(57)【要約】【課題】調理プレートの装着穴に補助プレートを着脱自在に載置したホットプレートにおいて、前記補助プレートが載置されない状態で通電される不都合を無くすることである。【解決手段】調理プレート５の装着穴に着脱自在に載置される補助プレート４９の底面に感熱棒２４の挿入部５５を設け、前記感熱棒２４の挿入経路の途中に上下動自在に突出し、かつ上向きに付勢された検知部材３８を設け、前記補助プレート４９を載置した場合はその挿入部５５によって検知部材３８が押し下げられて前記感熱棒２４の挿入が可能となるが、これを載置しない場合は感熱棒２４が検知部材３８に当って挿入が不可能となるようにした。【選択図】図５
2006020965.tif 000002
【特許請求の範囲】
【請求項１】
外装体と、その内底面に取付けられた遮熱板と、該遮熱板上に着脱自在に載置されたヒーターセットと、そのヒーターセットのヒーターに着脱自在に装着された調理プレートとからなり、前記調理プレートに設けた装着穴上に補助プレートを取替え自在に載置し、温度調節機能を有するプラグを前記ヒーターセットのプラグ受けに差し込むとともに、該プラグに設けた感熱棒を前記調理プレートの一部に側方から挿入するようにした電気調理器において、前記調理プレートの装着穴を前記プラグ側に片寄った位置に設け、前記補助プレートに前記感熱棒の挿入部を設け、該補助プレートの載置の有無を前記挿入部への感熱棒の挿入の可否によって検知する検知手段を設けたことを特徴とする電気調理器の安全装置。
【請求項２】
前記補助プレートが、前記調理プレートのプラグ側に片寄った部分の実質的に半分の範囲を占めることを特徴とする請求項１に記載の電気調理器の安全装置。
【請求項３】
前記の検知手段が、前記感熱棒の挿入経路の途中に上下動自在に突出し、かつ上向きに付勢された検知部材により構成され、前記挿入部が該検知部材の上方に対向して設けられ、該検知部材の通常状態における高さを前記挿入部底面の位置より高く形成するとともに該検知部材を前記調理プレートに接触しない位置に設けることにより、前記補助プレートを載置した場合はその挿入部によって検知部材が押し下げられて前記感熱棒の挿入が可能となり、これを載置しない場合は感熱棒が検知部材に当って挿入が不可能となるようにしたことを特徴とする請求項１又は２に記載の電気調理器の安全装置。
【請求項４】
前記調理プレートに前記挿入部に対向する穴を設け、前記調理プレート上に補助プレートを載置した場合にその挿入部を該穴に嵌合せしめ、該穴に嵌合した挿入部によって前記検知部材を押し下げるようにしたことを特徴とする請求項１から３のいずれかに記載の電気調理器の安全装置。
【請求項５】
前記検知部材の高さを調理プレートに接触しない位置に設ける構成として、該検知部材を前記穴の下面に臨ませた構成を採用したことを特徴とする請求項４に記載の電気調理器の安全装置。
【発明の詳細な説明】
【技術分野】
【０００１】
この発明はホットプレート、グリル鍋等の電気調理器の安全装置に関するものである。
【背景技術】
【０００２】
一般家庭において各種の炒め料理、焼き料理等にホットプレートが用いられているが、料理の種類により調理プレートを取り替える便宜のため、また調理プレートの手入れの便宜のために、調理プレートは取り外し自在に載置される。この場合、調理プレートを取り外した状態ではヒーターが露出するため、そのままで通電することは安全上問題がある。このため、調理プレートを取り外した状態ではヒーターに通電できないようにする安全装置が従来から装備されている。
【０００３】
また、前記のヒーターやその下方に設置される遮熱板等も手入れの便宜のために分解できるように組み合わされているので、遮熱板を装着しないままヒーターに通電することがないように配慮した安全装置も従来から装備されている（特許文献１）。
【０００４】
上記の安全装置は、一般に電気調理プレートの外装体の外側面に設けたプラグ受けの部分に、プラグに設けた感熱棒の挿入穴を設けるともに、その挿入穴にそれぞれ調理プレートに関連した検知部材を上下動自在に介在し、調理プレートと遮熱板が正規の状態に装着された場合は、各検知部材に設けた穴が挿入穴に合致することにより、感熱棒を所定深さまで挿入することができる。これによってプラグがプラグ受けに正規の状態に嵌合され通電できるようにしている。調理プレート又は遮熱板の両方又はいずれか一方しか装着されない場合は、感熱棒の挿入が阻止され、これによってプラグを正規の深さまで差し込みができないようにして通電を遮断し安全を図るようにしている。
【０００５】
一方、調理プレートの多様な使用方法を可能にするために、調理プレートの中央部分に四角形の大きな装着穴を設け、その装着穴に補助プレートを着脱自在に載置できるようにすることが知られている（特許文献１参照）。調理プレートの調理面は装着穴の周りに形成されるので、その調理面と補助プレートの調理面を用いて２種類の調理が一度にできるようになっている。このような電気調理プレートにおいても、前述のような安全装置は当然のこととして採用される。
【特許文献１】特開２００２−２８２１３２号公報
【発明の開示】
【発明が解決しようとする課題】
【０００６】
しかし、従来の安全装置は前述のように、調理プレートと遮熱板の装着の有無の検知を目的としているものであるため、前記のように補助プレートを組み合わせた場合においては、補助プレートは調理プレートの中央部分に載置される位置関係があることから、感熱棒がその補助プレートの位置まで届かない構造となっている。このため、従来のように感熱棒の挿入を阻止することにより補助プレートの装着の有無を検知する安全装置を構成することはできない。従って、前記特許文献１の場合は、補助プレートの検知手段は設けられていない。
【０００７】
しかしながら、調理プレートの装着穴の下面には補助プレートを加熱するためのヒーター部分が存在することから、万一補助プレートを装着しない状態で通電したとすると、調理プレートの装着穴の部分から露出したヒーターに通電されることになる不都合がある。
【０００８】
そこで、この発明は、補助プレートの位置を限定することにより、その装着の有無を感熱棒の挿入の可否により検知できるようにすることを課題とする。
【課題を解決するための手段】
【０００９】
上記の課題を解決するために、この発明は、外装体と、その内底面に取付けられた遮熱板と、該遮熱板上に着脱自在に載置されたヒーターセットと、そのヒーターセットのヒーターに着脱自在に装着された調理プレートとからなり、前記調理プレートに設けた装着穴上に補助プレートを取替え自在に載置し、温度調節機能を有するプラグを前記ヒーターセットのプラグ受けに差し込むとともに、該プラグに設けた感熱棒を前記調理プレートの一部に側方から挿入するようにした電気調理器において、前記調理プレートの装着穴を前記プラグ側に片寄った位置に設け、前記補助プレートに前記感熱棒の挿入部を設け、該補助プレートの載置の有無を前記挿入部への感熱棒の挿入の可否によって検知する検知手段を設けた構成を採用した。
【００１０】
上記の構成によると、補助プレートが正規の位置に載置されると、挿入部が検知部材を押し下げるので、感熱棒の先端部をその挿入部に挿入することが可能となり、プラグがプラグ受けに対し正規の状態で嵌合される結果ヒーターに通電される。しかし、補助プレートを載置しない状態においては感熱棒の挿入が検知部材で阻止され、通電が不可能になることにより安全が図られる。
【００１１】
なお、前記の補助プレートを、調理プレートのプラグ側に片寄った部分の実質的に半分の範囲を占める大きさに形成することができる。これにより、調理プレートの調理面と補助プレートの調理面が実質的に同一の大きさのものが左右に並んだ状態となる。勿論、両方の調理面の大きさに差を持たせてもよい。
【００１２】
また、前記の検知手段が、前記感熱棒の挿入経路の途中に上下動自在に突出し、かつ上向きに付勢された検知部材により構成され、前記挿入部が該検知部材の上方に対向して設けられ、該検知部材の通常状態における高さを前記挿入部底面の位置より高く形成するとともに該検知部材を前記調理プレートに接触しない位置に設けることにより、前記補助プレートを載置した場合はその挿入部によって検知部材が押し下げられて前記感熱棒の挿入が可能となり、これを載置しない場合は感熱棒が検知部材に当って挿入が不可能となるようにした構成を採ることもできる。
【００１３】
また、前記調理プレートに前記挿入部に対向する穴を設け、前記調理プレート上に補助プレートを載置した場合にその挿入部を該穴に嵌合せしめ、該穴に嵌合した挿入部によって前記検知部材を押し下げるようにした構成や、前記検知部材の高さを調理プレートに接触しない位置に設ける構成として、該検知部材を前記穴の下面に臨ませた構成を採ることもできる。
【発明の効果】
【００１４】
以上のように、この発明の電気調理器の安全装置によれば、補助プレートを外した状態では感熱棒の挿入が阻止されプラグをプラグ受けに嵌合させることが不可能となる。その結果、補助プレートの装着穴から露出状態にあるヒーターへ通電される危険がなく安全である。
【発明を実施するための最良の形態】
【００１５】
以下、添付図面に基づいてこの発明の実施形態を説明する。図１及び図２に示したように、実施形態の電気調理プレートは、外装体１と、その内底面に設置された遮熱板２と、該遮熱板２上に載置されたヒーターセット３と、そのヒーターセット３のヒーター４上に装着される調理プレート５等からなる。
【００１６】
外装体１は合成樹脂製であり、底面６の周縁にガード部７が設けられ全体として４コーナー部が円弧状に形成された長方形をなす（図２参照）。ガード部７の対向した短辺部の中央部分に内外に開放された凹部８、９が設けられ、一方の凹部８が調理プレート５の取手１１の嵌合部となり、他方の凹部９がヒーターセット３のヒーター４に接続されたプラグ受け１２と、調理プレート５の他方の取手１３の嵌合部となっている。
【００１７】
遮熱板２は金属製であり、底面１４の外周縁に前記のガード部７に沿った周壁１５が形成される。その周壁１５の短辺部において前記の凹部８，９に対向した切欠き部１７が設けられる。遮熱板２の底面１４上に金属製の浅い水受皿１８が着脱自在に載置される。水受皿１８の中央部には外装体１の長さ方向に長い目印用の突起１９が裏面からの打ち出しによって設けられる。突起１９の稜線が水受皿１８内の水量の目印となる。このように長い稜線をもった突起１９とすることにより、後述の焼き肉用の調理面４６を有する調理プレート５のように、穴の明いた調理プレートを使用する場合にその穴を通して突起が見易くなり、水位を確認し易いメリットがある。
【００１８】
ヒーターセット３は、シーズヒーターを遮熱板２の底面１４に沿う平面内で屈曲して前記のヒーター４を形成し、その両端部を前記のプラグ受け１２に差し込み、その内部において図示省略の電極に接続している。
【００１９】
図３及び図４に詳細に示したように、プラグ受け１２の両側面には上下方向のガイド用突条２１が設けられ、そのガイド用突条２１が前記凹部９の内側面に設けられたガイド溝２１’に嵌合される。プラグ受け１２を凹部９に嵌合した状態で、該プラグ受け１２は、図４に示したように凹部９のほぼ下半分を占有し、その上半分に調理プレート５の前記取手１３を嵌合する余裕が残される。なお、前記のヒーター４は、遮熱板２に設けたヒーター受け具２２により支持固定される。
【００２０】
プラグ受け１２の内部には、図５に示したように、温度調節ダイヤル２０を有するプラグ２３から前方に突き出した感熱棒２４の挿入穴２５が設けられ、その挿入穴２５を含む挿入経路の途中に第１の検知プレート２６が上下動自在に設けられる。第１の検知プレート２６は、図１０に示したように、前記挿入穴２５と同一中心の穴２７が設けられ、通常はばね２８で上向きに付勢されている。このため、その穴２７は挿入穴２５と一致しない。検知プレート２６のガイド穴の上端は開放され、その開口２９に対向した突起３１が前記取手１３の下面に設けられる。
【００２１】
前記挿入穴２５を含む挿入経路の出口側に第２の検知プレート３２が上下動自在に設けられる。この検知プレート３２にも穴３３が設けられ（図３、図７参照）、通常の状態においては検知プレート３２は自重で下がっており、穴３３は挿通穴２５に一致しない状態にある。この第２の検知プレート３２の下方には、前記遮熱板２の切欠き部１７に内接して検知片３４が固定され、その検知片３４にも穴３５が設けられている（図３、図４参照）。
【００２２】
前記の検知片３４は、環状の取付け基部３６を有し、左右一対のビス３７により遮熱板２の底面１４に固定される（図３参照）。その取付け基部３６の内側の遮熱板２の底面１４は開放されており、その開放部分に上端閉塞・下端開放の円筒状の検知部材３８が上下動自在に挿入される。遮熱板２の裏面には、図６（ａ）（ｂ）に示したようなつば付き升形のばね受け部材３９が検知部材３８に対向して設けられ、前記のビス３７によって遮熱板２の底面に固定される。前記の検知部材３８の内部に収納されたばね４１がばね受け部材３９により支持され、該検知部材３８に上向きの付勢力が付加される。
【００２３】
検知部材３８の通常の高さは、図９に示したように、プラグ受け１２の挿入穴２５の中心より若干高く形成される。従って、その状態で感熱棒２４が挿入穴２５に挿入されると、その先端がその検知部材３８の上端部側面に突き当たる。
【００２４】
一方、前記の調理プレート５は、図２に示したように、全体として前記外装体１の内部に収まる長方形の板状のものであり、通常の場合と同様の大きさに形成され、周壁４４を設けるとともに、対向した短辺の周壁４４の中央部外側面に前記の取手１１、１３が取付けられる。従来の場合と相違する部分は、底面部４３の中央部分において短辺と平行の区画リブ４５が対向する長辺の周壁４４間に設けられ、その区画リブ４５から取手１１側の半分は多数のスリットを配列した穴明きの調理面４６（例えば、焼肉調理に利用される。）となっている。前記区画リブ４５から取手１３側の半分においては、底面部４３に四角形の装着穴４７が設けられる。装着穴４７の周りにおいては、底面部４３が所定幅だけ残され支持縁４８となっている。なお、調理面４６は、前記の他に炒め料理に適した平坦面のもの、たこ焼き料理に適した多数の半円形凹所を設けたものなどがある。
【００２５】
前記装着穴４７上に補助プレート４９が着脱自在に載置される。補助プレート４９は、調理面５１と周壁５２を有し、前記調理プレート５のおよそ半分の大きさに形成され、前記区画リブ４５と前記支持縁４８に沿った取手１３側の周壁４４に密着するように支持縁４８上に載置される。補助プレート４９の区画リブ４５に沿った部分においては、周壁５２に設けた外向きつば縁５３が区画リブ４５上に重なり、区画リブ４５と周壁５２間に生じるすき間から調理物の一部が落下するのを防いでいる。補助プレート４９の調理面５１は図示の場合は平坦面であって炒め料理等に利用されるが、その他に、焼肉料理用、たこ焼き料理用のもの等がある。
【００２６】
前記補助プレート４９の区画リブ４５に沿った辺と反対側の辺に取手５４が設けられ、また、その取手５４を設けた部分の裏面に前記感熱棒２４の挿入部５５が下方に突き出して設けられる。挿入部５５の側面には感熱棒２４の先端部の挿入穴５６が水平方向に設けられる（図５参照）。
【００２７】
前記挿入部５５に対向した支持縁４８に該挿入部５５を嵌入し得る穴５７が設けられる（図２参照）。この穴５７は、調理プレート５を所定位置に載置した状態で、前記の検知部材３８の上端面上に位置する（図９参照）。このため、調理プレート５を載置しても検知部材３８がこれに接触することがない。しかし、調理プレート５上に前記の補助プレート４９を正規の位置に載置すると、その挿入部５５が前記の穴５７に嵌入される。挿入部５５は調理プレート５の下面より下方に突き出す高さを有するように形成されているため（図５参照）、その穴５７の下方に存在する検知部材３８を押し下げる。挿入部５５が最大限に穴５７の下方に突き出した状態で挿入穴５６が調理プレート５の下面において側方に開放され、その中心が前記挿入穴２５の中心と一致する。
【００２８】
前記の調理プレート５の左右の取手１１、１３には、図２に示したように外装体１の前記凹部８，９の内側面に設けられたガイド用突条７５、７６に合致するガイド溝７７、７８が設けられる。
【００２９】
前記の調理プレート５及びその装着穴４７に補助プレート４９を載置・装着した状態で、これらの裏面には、前記ヒーター４の形状に合致する形状のヒーター溝５０（図１、図２参照）が設けられる。調理プレート５及び補助プレート４９の左右の向きが反対になった場合は、ヒーター溝５０にヒーター４が嵌合されず収まりが悪いことから、使用者に反対向きであることを知らせる。これによって、補助プレート４９がプラグ受け１２と反対側に配置されるような取付け状態となることが避けられる。
【００３０】
実施形態の電気調理器の安全装置は以上のように構成され、次にその作用を説明する。
【００３１】
まず、調理プレート５が載置される前は、図７に示したように、第１の検知プレート２６が上向きに付勢されたままの状態にあるため、感熱棒２４の挿入が阻止される。このため、プラグ２３がプラグ受け１２に対し正規に嵌合されず通電されることがない。また、前記調理プレート５を載置したとしても、遮熱板２の装着がされていない場合は、図８に示したように、第２の検知プレート３２がその自重で下がったままであるので、感熱棒２４の挿入が阻止され、この場合もプラグ２３がプラグ受け１２に嵌合されず通電されることがない。
【００３２】
また、遮熱板２及び調理プレート５が装着されていても補助プレート４９が載置されない状態では、図９に示したように、感熱棒２４の先端が検知部材３８に当ってそれ以上の挿入が阻止されるので、この場合もプラグ２３がプラグ受け１２に正規に嵌合されず通電されることがない。
【００３３】
逆に、遮熱板２、調理プレート５及び補助プレート４９の三者が正規の状態に載置された場合は、感熱棒２４は最も深く挿入される（図５参照）。このため、プラグ２３がプラグ受け１２に正規の状態に嵌合され、内部電極相互の接触により通電可能な状態となる。
【００３４】
なお、以上の実施形態においては、調理プレート５の調理面４６と補助プレート４９の調理面５１の大きさはほぼ同一であるが、その大きさの比は任意に選定することができる。しかし、いずれの場合も、補助プレート４９がプラグ受け１２側に位置し、しかも挿入部５５がプラグ受け１２側に位置するように補助プレート４９の位置と向きを規定する。これによって、感熱棒２４が補助プレート４９の一部である挿入部５５に到達することができるので、その感熱棒２４の挿入経路に前記挿入部５５によって作動される検知部材３８を設けることにより、補助プレート４９の載置の有無を感熱棒２４の挿入の可否により検知することができる。
【００３５】
ところで、前記の調理プレート５と補助プレート４９は、調理面４６、５１の種類の異なるものを複数種組み合わせて用いられるため、保管収納のコンパクト性が要求される。そこで、この実施形態の場合は、図１１から図１４に示したワイヤーラックを用いることとしている。このワイヤーラックは金属杆製のラック本体５８と、一対のプラスチック製の収納ケース５９、５９とからなる。ラック本体５８は、前記の外装体１と遮熱板２、ヒーターセット３、複数枚の調理プレート５、蓋６０をこの順に重ねて一まとめに収納するものであり、収納ケース５９は補助プレート４９を収納するものであり、補助プレート４９を収納した収納ケース５９はラック本体５８に搭載される。
【００３６】
ラック本体５８は、蓋６０側の左右両側に沿った前面縦杆６１、６１と、外装体１の底面左右両側に沿った後面縦杆６２，６２（図１２参照）、前記前面縦杆６１、６１の下端相互を連結する前面下端横杆６３、後面縦杆６２，６２の下端相互を連結する後面下端横杆６４、前記の前面縦杆６１と後面縦杆６２のそれぞれ上端相互を連結する平面視コの字形の前後方向の側杆６５，６５を有する。また、前面下端横杆６３、後面下端横杆６４相互を前後に連結する平行２本の基杆６６を設け、その基杆６６により全体を支持するようにしている。また、前面側縦杆６１、６１の中間部分を相互に連結する補強連結杆７３が設けられる。
【００３７】
さらに、補助的な部材として、前記基杆６６にその前端に片寄って下向きコの字形の支持杆６７、６７が設けられ（図１４参照）、外装体１と調理プレート５の側面における段差を解消するようにしている。また、前記補強連結杆７３の下方においてその長さ方向に長い支持枠６８が設けられ、左右に区画された部分に前記の収納ケース５９、５９を上方から差し込んで収納するようになっている。また、前記基杆６６、６６の前端に前記前面下端横杆６３より前方に突き出して両方の基杆６６，６６間にわたるコの字形の支持座杆６９が設けられる。
【００３８】
収納ケース５９、５９の対向した開口部前面に相互に係合するフック７１、７１が設けられ、そのフック７１、７１の外周部を囲む保護壁７２、７２が開口部から前面側に突き出した取手５４、５４を保護する。
【００３９】
ワイヤ−ラックは以上のように構成され、これを用いて収納する場合は、図１５に示したように、ラック本体５８の上端開口部が側方を向くように横向きに倒し、予め重ねた外装体１、調理プレート５、蓋６０等の側方に嵌合し（矢印参照）全体をラック本体５８に収めた後に図１１の状態にラック本体５８を起立させ、その後に補助プレート４９を入れた収納ケース５９を支持枠６８に差し込んで全体の収納を完了する。収納ケース５９はフック７１や保護壁７２が支持枠６８に掛かることなく挿入され、支持座杆６９上に載る（図１４参照）。
【図面の簡単な説明】
【００４０】
【図１】実施形態の断面図
【図２】同上の分解斜視図
【図３】同上の一部拡大分解斜視図
【図４】図３の部分の組立状態の斜視図
【図５】実施形態のプラグ受け部分の断面図
【図６】（a）同上の検知部材部分の断面図、（ｂ）（ａ）図のばね受け部材の斜視図
【図７】実施形態の調理プレート装着前の一部断面図
【図８】図７の調理プレート装着後の一部断面図
【図９】実施形態の補助プレート装着前の一部断面図
【図１０】実施形態の第１の検知プレートの部分の断面図
【図１１】ワイヤーラックに収納する場合の斜視図
【図１２】ワイヤーラックに収納完了状態の斜視図
【図１３】同上の横断平面図
【図１４】同上の側面図
【図１５】同上の収納時の斜視図
【符号の説明】
【００４１】
１  外装体
２  遮熱板
３  ヒーターセット
４  ヒーター
５  調理プレート
６  底面
７  ガード部
８  凹部
９  凹部
１１  取手
１２  プラグ受け
１３  取手
１４  底面
１５  周壁
１７  切欠き部
１８  水受皿
１９  突起
２０  温度調節ダイヤル
２１  ガイド用突条
２１’  ガイド溝
２２  ヒーター受け具
２３  プラグ
２４  感熱棒
２５  挿入穴
２６  検知プレート
２７  穴
２８  ばね
２９  開口
３１  突起
３２  検知プレート
３３  穴
３４  検知片
３５  穴
３６  取付け基部
３７  ビス
３８  検知部材
３９  ばね受け部材
４１  ばね
４３  底面部
４４  周壁
４５  区画リブ
４６  調理面
４７  装着穴
４８  支持縁
４９  補助プレート
５０  ヒーター溝
５１  調理面
５２  周壁
５３  つば縁
５４  取手
５５  挿入部
５６  挿入穴
５７  穴
５８  ラック本体
５９  収納ケース
６０  蓋
６１  前面縦杆
６２  後面縦杆
６３  前面下端横杆
６４  後面下端横杆
６５  側杆
６６  基杆
６７  支持杆
６８  支持枠
６９  支持座杆
７１  フック
７２  保護壁
７３  補強連結杆
７５，７６  ガイド用突条
７７、７８  ガイド溝
【図１】
2006020965.tif 000003
【図２】
2006020965.tif 000004
【図３】
2006020965.tif 000005
【図４】
2006020965.tif 000006
【図５】
2006020965.tif 000007
【図６】
2006020965.tif 000008
【図７】
2006020965.tif 000009
【図８】
2006020965.tif 000010
【図９】
2006020965.tif 000011
【図１０】
2006020965.tif 000012
【図１１】
2006020965.tif 000013
【図１２】
2006020965.tif 000014
【図１３】
2006020965.tif 000015
【図１４】
2006020965.tif 000016
【図１５】
2006020965.tif 000017